(57)【要約】【課題】面倒な操作なしに利用者が希望する番組情報を容易に確認することができる携帯端末装置を提供することを課題とする。また、番組情報を確認した画面から容易にＴＶ視聴、ＴＶ録画などを実行することができる携帯端末装置を提供することを課題とする。【解決手段】  ＥＰＧデータに含まれる「番組名」、「放送日時」、「出演者」などを番組単位で抽出し、それらを変換前文字列および変換候補として関連付けて辞書データに登録する。そして、利用者が変換前文字列として「番組名」を入力すると、その「番組名」と関連付けて登録されている「放送日時」や「出演者」などが変換候補として表示する携帯端末装置を提供する。  また、ＴＶ視聴などのプロセスを番組のＩＤと組み合わせ、変換候補として辞書部に登録する。そして、当該変換候補を選択されると、選択された番組に対して選択されたプロセスを実行する携帯端末装置を提供する。【選択図】          図１
2009135711.tif 000002
【特許請求の範囲】
【請求項１】
ＥＰＧデータを取得するＥＰＧデータ取得部と、
取得されたＥＰＧデータから番組単位で文字列を抽出する抽出部と、
変換前文字列に対応する変換後文字列を含む変換候補を保持する辞書部と、
抽出部にて抽出された文字列を番組単位で相互に対応付けた変換前文字列と変換候補として辞書部に登録する登録部と、
変換前文字列などのキー入力を受付ける入力受付部と、
入力受付部にて入力受付したキーにより辞書部を検索し、検索された変換候補を検索結果として表示する変換候補表示部と、
を有する携帯端末装置。
【請求項２】
登録部は、変換候補として登録する文字列にＥＰＧデータ中で示されるその文字列に対応する出演者などの項目をその文字列の項目属性値として関連付けて辞書部に登録する項目属性登録手段を有し、
入力受付部は、項目属性値の入力をも受付ける項目属性値入力手段を有し、
変換候補表示部は、項目属性値入力手段にて受付けた項目属性値と関連付けられている変換候補を検索して表示する項目属性付変換候補表示手段を有する
請求項１に記載の携帯端末装置。
【請求項３】
変換候補表示部にて表示された変換候補から一の選択を受付ける選択受付部と、
受付けた選択に応じてプロセスを実行するための命令を生成する命令生成部と、
命令生成部で生成された命令に従ってプロセスを実行するプロセス実行部
を有し、
登録部は、命令生成部にて生成する命令を識別する命令識別情報をも番組単位で変換候補として辞書部に登録する命令登録手段を有する請求項１又は２に記載の携帯端末装置。
【請求項４】
登録部は、ある命令識別情報に従って実行するプロセスを特定する名称又は略称を命令属性値として変換候補であるその命令識別情報と関連付けて辞書部に登録する命令属性登録手段を有し、
入力受付部は、命令属性値の入力をも受付ける命令属性値入力手段を有し、
変換候補表示部は、命令属性値入力手段にて受付けた命令属性値と関連付けられている変換候補を検索して表示する命令属性付変換候補表示手段を有する
請求項３に記載の携帯端末装置。
【請求項５】
命令属性値入力手段は、命令属性値を入力のためにトグル表示するトグル表示器をさらに有する請求項４に記載の携帯端末装置。
【請求項６】
変換候補表示部は、変換候補が単なる変換後文字列であるか、命令識別情報であるかに応じて検索結果の表示態様を異ならせる複数態様表示手段を有する請求項３から５のいずれか一に記載の携帯端末装置。
【請求項７】
変換候補が命令識別情報である場合にその命令が実行可能か判断する実行可能性判断部をさらに有し、
変換候補表示部は、
実行可能性判断部での判断結果が実行不可能との判断結果である命令に関してはその命令識別情報を変換候補として表示しない非表示手段を有する請求項３から６のいずれか一に記載の携帯端末装置。
【請求項８】
登録部は、実行可能性判断部での判断結果が実行不可能との判断結果である命令に対応する番組に関しては、番組単位で変換候補を辞書部から削除する削除手段を有する請求項７に記載の携帯端末装置。
【請求項９】
変換候補表示部は、変換候補に関連付けられている項目属性値に応じて表示・非表示を選択させるための表示・非表示選択手段を有する請求項２又は請求項２に従属する請求項に記載の携帯端末装置。
【請求項１０】
入力受付部は、
待受け画面から入力された変換前文字列をも受付ける待受け画面受付手段を有する
請求項１から９のいずれか一に記載の携帯端末装置。
【請求項１１】
ＥＰＧデータを取得するＥＰＧデータ取得ステップと、
取得されたＥＰＧデータから番組単位で文字列を抽出する抽出ステップと、
抽出部にて抽出された文字列を番組単位で相互に対応付けた変換前文字列と変換候補として登録する登録ステップと、
変換前文字列などのキー入力を受付ける入力受付ステップと、
入力受付ステップにて入力受付したキーにより変換候補を検索し、検索された変換候補を検索結果として表示する変換候補表示ステップと、
を有する携帯端末装置の実行方法。
【請求項１２】
登録ステップは、変換候補として登録する文字列にＥＰＧデータ中で示されるその文字列に対応する出演者などの項目をその文字列の項目属性値として変換候補と関連付けて登録する項目属性登録サブステップを有し、
入力受付ステップは、項目属性値の入力をも受付ける項目属性値入力サブステップを有し、
変換候補表示ステップは、項目属性値入力サブステップにて受付けた項目属性値と関連付けられている変換候補を検索して表示する項目属性付変換候補表示サブステップを有する
請求項１１に記載の携帯端末装置の実行方法。
【請求項１３】
変換候補表示ステップにて表示された変換候補から一の選択を受付ける選択受付ステップと、
受付けた選択に応じてプロセスを実行するための命令を生成する命令生成ステップと、
命令生成ステップで生成された命令に従ってプロセスを実行するプロセス実行ステップ
を有し、
登録ステップは、命令生成ステップにて生成する命令を識別する命令識別情報をも番組単位で変換候補として登録する命令登録サブステップを有する請求項１１又は１２に記載の携帯端末装置の実行方法。
【請求項１４】
登録ステップは、命令識別情報に従って実行するプロセスを識別する名称又は略称をその命令属性値として変換候補である命令識別情報と関連付けて登録する命令属性登録サブステップを有し、
入力受付ステップは、命令属性値の入力をも受付ける命令属性値入力サブステップを有し、
変換候補表示ステップは、命令属性値入力サブステップにて受付けた命令属性値と関連付けられている変換候補を検索して表示する命令属性付変換候補表示サブステップを有する
請求項１３に記載の携帯端末装置の実行方法。
【請求項１５】
変換候補が命令識別情報である場合にその命令が実行可能か判断する実行可能性判断ステップをさらに有し、
登録ステップは、実行可能性判断ステップでの判断結果が実行不可能との判断結果である命令に対応する番組に関しては、番組単位で変換候補を削除する削除サブステップを有する請求項１３又は１４のいずれか一に記載の携帯端末装置の実行方法。
【発明の詳細な説明】
【技術分野】
【０００１】
本発明は、ラジオ放送受信機能、ＴＶ放送受信機能、Ｗｅｂ閲覧機能、など、様々な機能を有する携帯端末装置に関する。
【背景技術】
【０００２】
近年の携帯電話などの携帯端末装置には、電話としての通話機能のほか、ＴＶ放送受信機能やラジオ放送受信機能などが付与されており、利用者は携帯端末装置を利用することで、外出先などあらゆる場所でＴＶ放送を視聴したり、録画予約したりすることができる。一般的にＴＶ放送を視聴したり録画予約したりする際には番組表を閲覧し、どのような番組が放送されているのか確認する。番組表としては、例えば、新聞や雑誌などに掲載されたものが利用される。しかしながら、新聞や雑誌などに掲載された番組表は外出先で閲覧するためのツールとしては不向きである。その他の番組表としては、電子番組表（以下、「ＥＰＧ」という）が利用される。ＥＰＧは、携帯端末装置を利用してデジタル放送波とともに取得したり、Ｗｅｂ上から取得したりでき、外出先で閲覧するのに適している。また、提供する番組情報も非常に多岐に渡っており、利便性の高いものとなっている。しかしながら、ＥＰＧが提供する情報を、携帯端末装置の限られた大きさの画面で表示する場合、一つの画面内ですべての番組情報を表示できないという問題が生じうる。かかる場合、利用者は番組情報を一度に閲覧することができず、画面をスクロール移動するなどして希望する番組情報を画面に表示し閲覧する必要があり、希望する情報を探すのが面倒である。また、ＥＰＧは複数日程の番組情報を提供可能であり、かかる場合、多数の情報の中から希望する番組情報を見つけ出す必要があり、非常に面倒である。
【０００３】
そこで、前記のような問題を解決する手段として、特許文献１のような発明がなされている。特許文献１の発明は、横方向に各チャンネルを順に配列し、縦方向に時間軸と日付軸を設けて表示するＥＰＧである。そして、時間軸や日付軸に所定の操作を行うと、属性値（時間、日付など）選択画面を表示し、選択入力された属性値に応じた番組情報を画面上に表示するよう構成されている。当該発明により、利用者はＥＰＧを上下左右にスクロール移動するという面倒な操作を行うことなく、容易に希望する番組情報を画面上に表示することが可能となる。しかしながら、当該発明は、ある日付のある時間に放送されている番組（例えば、２００７年１０月１２日１９時に放送されている番組）の情報を画面上に表示するには有効的な手段であるが、利用者が番組名のみを知っており、当該番組の放送日時や出演者などを確認するために番組情報を閲覧しようとする際には活用できない。かかる場合、利用者はＥＰＧをスクロール移動してその番組情報を探す必要があり、非常に面倒である。
【特許文献１】特開２００７−２６６９７１
【発明の開示】
【発明が解決しようとする課題】
【０００４】
そこで、本発明では、ＥＰＧデータを利用して、面倒な操作なしに利用者が希望する番組情報を容易に確認することができる携帯端末装置を提供することを課題とする。また、ＥＰＧを閲覧するためのアプリを起動せずに番組情報を容易に確認することができる携帯端末装置を提供することを課題とする。さらに、番組情報を確認した画面から容易にＴＶ視聴、ＴＶ録画などを実行することができる携帯端末装置を提供することを課題とする。
【課題を解決するための手段】
【０００５】
上記課題を解決するための手段として、以下のような発明などを提供する。
【０００６】
ＥＰＧデータに含まれる「番組名」、「放送日時」、「出演者」などを番組単位で抽出し、それらを変換前文字列および変換候補として関連付けて登録する。そして、利用者が変換前文字列として「番組名」を入力すると、その「番組名」と関連付けて登録されている「放送日時」や「出演者」などが変換候補として表示される携帯端末装置を提供する。
【０００７】
また、ＴＶ視聴などのプロセスを番組のＩＤと組み合わせ、変換候補として辞書部に登録する。そして、当該変換候補を選択されると、選択された番組に対して選択されたプロセスを実行する携帯端末装置を提供する。
【０００８】
具体的には、以下の発明を提供する。
【０００９】
第一発明では、ＥＰＧデータを取得するＥＰＧデータ取得部と、取得されたＥＰＧデータから番組単位で文字列を抽出する抽出部と、変換前文字列に対応する変換後文字列を含む変換候補を保持する辞書部と、抽出部にて抽出された文字列を番組単位で相互に対応付けた変換前文字列と変換候補として辞書部に登録する登録部と、変換前文字列などのキー入力を受付ける入力受付部と、入力受付部にて入力受付した文字列により辞書部を検索し、検索された変換候補を検索結果として表示する変換候補表示部とを有する携帯端末装置を提供する。
【００１０】
第二発明では、第一発明を基本とし、さらに、登録部は、変換候補として登録する文字列にＥＰＧデータ中で示されるその文字列に対応する出演者などの項目をその文字列の項目属性値として関連付けて辞書部に登録する項目属性登録手段を有し、入力受付部は、項目属性値の入力をも受付ける項目属性値入力手段を有し、変換候補表示部は、項目属性値入力手段にて受付けた項目属性値と関連付けられている変換候補を検索して表示する項目属性付変換候補表示手段を有する携帯端末装置を提供する。
【００１１】
第三発明では、第一発明又は第二発明を基本とし、さらに、変換候補表示部にて表示された変換候補から一の選択を受付ける選択受付部と、受付けた選択に応じてプロセスを実行するための命令を生成する命令生成部と、命令生成部で生成された命令に従ってプロセスを実行するプロセス実行部を有し、登録部は、命令生成部にて生成する命令を識別する命令識別情報をも番組単位で変換候補として辞書部に登録する命令登録手段を有する携帯端末装置を提供する。
【００１２】
第四発明では、第三発明を基本とし、さらに、登録部は、ある命令識別情報に従って実行するプロセスを特定する名称又は略称を命令属性値として変換候補であるその命令識別情報と関連付けて辞書部に登録する命令属性登録手段を有し、入力受付部は、命令属性値の入力をも受付ける命令属性値入力手段を有し、変換候補表示部は、命令属性値入力手段にて受付けた命令属性値と関連付けられている変換候補を検索して表示する命令属性付変換候補表示手段を有する携帯端末装置を提供する。
【００１３】
第五発明では、第四発明を基本とし、さらに、命令属性値入力手段は、命令属性値を入力のためにトグル表示するトグル表示器をさらに有する携帯端末装置を提供する。
【００１４】
第六発明では、第三発明から第五発明のいずれか一を基本とし、さらに、変換候補表示部は、変換候補が単なる変換後文字列であるか、命令であるかに応じて検索結果の表示態様を異ならせる複数態様表示手段を有する携帯端末装置を提供する。
【００１５】
第七発明では、第三発明から第六発明のいずれか一を基本とし、さらに、変換候補が命令識別情報である場合にその命令が実行可能か判断する実行可能性判断部をさらに有し、変換候補表示部は、実行可能性判断部での判断結果が実行不可能との判断結果である命令に関してはその命令識別情報を変換候補として表示しない非表示手段を有する携帯端末装置を提供する。
【００１６】
第八発明では、第七発明を基本とし、さらに、登録部は、実行可能性判断部での判断結果が実行不可能との判断結果である命令に対応する番組に関しては、番組単位で変換候補を辞書部から削除する削除手段を有する携帯端末装置を提供する。
【００１７】
第九発明では、第二発明又は第二発明に従属する発明を基本とし、さらに、変換候補表示部は、変換候補に関連付けられている項目属性値に応じて表示・非表示を選択させるための表示・非表示選択手段を有する携帯端末装置を提供する。
【００１８】
第十発明では、第一発明から第九発明のいずれか一を基本とし、さらに、入力受付部は、  待受け画面から入力された変換前文字列をも受付ける待受け画面受付手段を有する携帯端末装置を提供する。
【００１９】
第十一発明では、ＥＰＧデータを取得するＥＰＧデータ取得ステップと、取得されたＥＰＧデータから番組単位で文字列を抽出する抽出ステップと、抽出部にて抽出された文字列を番組単位で相互に対応付けた変換前文字列と変換候補として登録する登録ステップと、変換前文字列などのキー入力を受付ける入力受付ステップと、入力受付ステップにて入力受付したキーにより変換候補を検索し、検索された変換候補を検索結果として表示する変換候補表示ステップとを有する携帯端末装置の実行方法を提供する。
【００２０】
第十二発明では、第十一発明を基本とし、さらに、登録ステップは、変換候補として登録する文字列にＥＰＧデータ中で示されるその文字列に対応する出演者などの項目をその文字列の項目属性値として変換候補と関連付けて登録する項目属性登録サブステップを有し、入力受付ステップは、項目属性値の入力をも受付ける項目属性値入力サブステップを有し、変換候補表示ステップは、項目属性値入力サブステップにて受付けた項目属性値と関連付けられている変換候補を検索して表示する項目属性付変換候補表示サブステップを有する携帯端末装置の実行方法を提供する。
【００２１】
第十三発明では、第十一発明又は第十二発明を基本とし、さらに、変換候補表示ステップにて表示された変換候補から一の選択を受付ける選択受付ステップと、受付けた選択に応じてプロセスを実行するための命令を生成する命令生成ステップと、命令生成ステップで生成された命令に従ってプロセスを実行するプロセス実行ステップを有し、登録ステップは、命令生成ステップにて生成する命令を識別する命令識別情報をも番組単位で変換候補として登録する命令登録サブステップを有する携帯端末装置の実行方法を提供する。
【００２２】
第十四発明では、第十三発明を基本とし、さらに、登録ステップは、命令識別情報に従って実行するプロセスを識別する名称又は略称をその命令属性値として変換候補である命令識別情報と関連付けて登録する命令属性登録サブステップを有し、入力受付ステップは、命令属性値の入力をも受付ける命令属性値入力サブステップを有し、変換候補表示ステップは、命令属性値入力サブステップにて受付けた命令属性値と関連付けられている変換候補を検索して表示する命令属性付変換候補表示サブステップを有する携帯端末装置の実行方法を提供する。
【００２３】
第十五発明では、第十三発明又は第十四発明を基本とし、さらに、変換候補が命令識別情報である場合にその命令が実行可能か判断する実行可能性判断ステップをさらに有し、登録ステップは、実行可能性判断ステップでの判断結果が実行不可能との判断結果である命令に対応する番組に関しては、番組単位で変換候補を削除する削除サブステップを有する携帯端末装置の実行方法を提供する。
【発明の効果】
【００２４】
本発明の携帯端末装置により、利用者は、携帯端末装置を利用して容易に希望する番組情報を確認することが可能になる。また、確認した番組情報を、容易に録画予約したり、視聴したりすることが可能になる。
【発明を実施するための最良の形態】
【００２５】
以下本発明を実施するための最良の形態について、図面を用いて詳細に説明する。なお、本発明はこれら実施の形態になんら限定されるものではなく、その要旨を逸脱しない範囲において種々なる態様で実施しうる。
なお、以下の実施形態と請求項の関係は次のとおりである。実施形態１は主として請求項１、１０、１１などについて説明する。実施形態２は主として請求項２、１２などについて説明する。実施形態３は主として請求項３、６、１３などについて説明する。実施形態４は主として請求項４、５、１４などについて説明する。実施形態５は、主として請求項７、８、１５などについて説明する。実施形態６は、主として請求項９などについて説明する。
＜＜実施形態１＞＞
＜実施形態１の概要＞
【００２６】
本実施形態の携帯端末装置は、一般的に携帯端末装置に付与されている辞書機能を利用し、利用者に有益な機能を提供することを特徴とする。具体的には、図１に示すように、取得したＥＰＧデータ（０１０１）に含まれる複数の文字列を、番組単位で「変換前文字列−変換後文字列」として関連付け、辞書機能を実現するための辞書データ（０１０２）に登録する。これにより、例えば、変換前文字列としてある番組名が入力（０１０３）されると、ディスプレイの変換候補表示領域（０１０４）にその番組の放送日時、出演者などが表示されることとなる。
＜実施形態１の機能的構成＞
【００２７】
図２は、本実施形態の放送受信装置の機能ブロックの一例を表す図である。この図にあるように本実施例の「携帯端末装置置」（０２００）は、「ＥＰＧデータ取得部」（０２０１）と、「抽出部」（０２０２）と、「辞書部」（０２０３）と、「登録部」（０２０４）と、「入力受付部」（０２０５）と、「変換候補表示部」（０２０６）を有する。また、「入力受付部」（０２０５）は、「待受け画面受付手段」を有してもよい。
【００２８】
なお、以下に記載する本装置の機能ブロックは、ハードウェア、ソフトウェア、またはハードウェア及びソフトウェアの両方として実現され得る。具体的には、コンピュータを利用するものであれば、ＣＰＵやＲＡＭ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザインターフェイスなどが挙げられる。
【００２９】
またこれらハードウェアやソフトウェアは、ＲＡＭ上に展開したプログラムをＣＰＵで演算処理したり、メモリやハードディスク上に保持されているデータや、インターフェイスを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記憶媒体に固定した記憶媒体も、当然にこの発明の技術的な範囲に含まれる（本明細書の全体を通じて同様である）。
【００３０】
以下、本実施形態の「携帯端末装置置」（０２００）は、「ＥＰＧデータ取得部」（０２０１）と、「抽出部」（０２０２）と、「辞書部」（０２０３）と、「登録部」（０２０４）と、「入力受付部」（０２０５）と、「変換候補表示部」（０２０６）と、「入力受付部」（０２０５）の「待受け画面受付手段」の機能について説明する。
【００３１】
本実施形態の「携帯端末装置」は、一般的な辞書機能を有し、さらに、ＴＶ放送受信機能、Ｗｅｂ閲覧機能などを有する端末装置であり、例えば、携帯電話などが該当する。
【００３２】
「ＥＰＧデータ取得部」（０２０１）は、ＥＰＧデータを取得するよう構成されている。ＥＰＧデータとは、ＴＶ放送される番組情報に関するデータであり、放送される「番組名」、「放送日時」、「放送ＣＨ」、「番組概要」、「出演者」、「ジャンル」、「関連リンク」などの内容が含まれる。一般的には、当該データを利用して電子番組表を生成し、利用者に提供する。ＥＰＧデータ取得部（０２０１）は、ＥＰＧデータをデジタル放送波と共に取得するよう構成してもよいし、Ｗｅｂ上から取得するよう構成してもよい。また、両方から取得できるよう構成してもよい。
【００３３】
「抽出部」（０２０２）は、取得されたＥＰＧデータから番組単位で文字列を抽出するよう構成されている。ここでの「番組単位」とは、ＥＰＧデータに含まれる多数の番組情報の内、ある日時（例：２００７年１１月６日１９時〜）のある番組（例：１ＣＨで放送される「今日のニュース」）を一つの単位としてとらえる。よって、同じ番組名であっても、放送日時が異なれば異なる番組単位となる。また、「文字列」とは、平仮名、片仮名、漢字、アルファベット、数字、記号、などの集合である。抽出部（０２０２）が一つの番組単位から文字列を取得する手段としては、例えば、番組情報に含まれる各項目（例：「番組名」、「放送日」、「放送時間」、「ＣＨ」、「番組概要」、「出演者」、「関連リンク」、「ジャンル」）それぞれの内容を一つの文字列として抽出してもよい。または、「平仮名」、「片仮名」、「漢字」、「アルファベット」、「数字」、「記号」などを識別可能に構成しておき、各項目に記載された内容の内、「句読点」、「スペース」、「記号」などで区切られるまでの文字列を一つの文字列として抽出してもよい。さらには、「連続する平仮名」、「連続する片仮名」、「連続する漢字」、「連続するアルファベット」、「連続する数字」などを一つの文字列として抽出してもよい。ここで、「連続する平仮名の文字列」とは、同じ文字の平仮名（例：「あ」）が連続した文字列（例：「あああ」）に限定されず、異なる文字の平仮名が連続した文字列（例：「あすから」）をも含む概念である。また、「連続する片仮名」、「連続する漢字」、「連続するアルファベット」、「連続する数字」についても同様に解する。
【００３４】
「辞書部」（０２０３）は、変換前文字列に対応する変換後文字列を含む変換候補を保持するよう構成されている。「変換前文字列」とは、平仮名、片仮名、数字、アルファベット、記号などで入力される文字列であり、例えば、メールの作成中や、アドレス帳編集中、撮影写真の名称を編集中、メモ機能にメッセージを記載中などに入力される文字列である。「変換後文字列」は、平仮名、片仮名、漢字、アルファベット、数字、記号などからなる文字列であり、変換前文字列と対応づけて変換候補として辞書部（０２０３）に登録される。
【００３５】
「登録部」（０２０４）は、抽出部（０２０２）にて抽出された文字列を番組単位で相互に対応づけた変換前文字列と変換候補として辞書部（０２０３）に登録するよう構成されている。「抽出部にて抽出された文字列」、「番組単位」については、前記の通りである。すなわち、登録部（０２０４）は、一つの番組単位から抽出された複数の文字列をすべて使用し、あらゆる「変換前文字列と変換後文字列（変換候補）」の組み合わせを作り、すべての組み合わせを辞書部（０２０３）に登録するよう構成されている。なお、漢字を含む文字列（例：「明日から」）を変換前文字列として組み合わせた場合には、その読みを示す文字列（例：「あすから」）が変換前文字列として登録されてもよい（図１：０１０５）。また、連携変換機能を有する装置である場合には、変換候補から一の選択を行って変換後文字列が確定すると、その確定した変換後文字列に続く変換候補が示される。このような場合には本実施形態でいうところの変換前文字列と変換後文字列とは、ひとつ前の変換操作にて確定した文字列が変換前文字列に該当し、それに続く文字列として示される変換候補が変換後文字列に該当する。なお、この考え方は本出願にかかるすべての発明に関して共通である。
【００３６】
また、登録部（０２０４）は、「番組名」、「出演者名」を変換前文字列として登録する際は、その短縮名称やニックネームを取得し、それら変換前文字列とした組み合わせも作り、辞書部（０２０３）に登録するよう構成されていてもよい（図１：０１０６）。短縮名称やニックネームを取得する手段としては、以下のような手段が考えられる。例えば、ＷＥＢ上で公開されているインターネット百科事典や、その番組のホームページなどから番組情報を取得する。そして、番組名（例：「泣いてもいいとも」）を任意の位置で切断して短縮言語を生成し（例：「泣いても」、「いいとも」、「泣いて」、「いい」、「ても」など）、それらの言語が、取得した番組情報内で存在するか照合する。そして、存在した言語を短縮名称またはニックネームとして認識して取得してもよい。または、取得した番組情報の中から「短縮名称」、「略称」、「ニックネーム」、「通称」などの言語を探索する。そして、その言語の後にカッコ書きされている言語（例：通称「いいとも」）や、「：」、「−」、「・」などの記号の後に記載されている文字列（例：通称−いいとも）を通称などと認識して取得してもよい。
【００３７】
「入力受付部」（０２０５）は、変換前文字列などのキー入力を受付けるよう構成されている。「キー入力」とは、携帯端末装置に設けられた操作ボタンを使用してなされる、所定の情報の入力である。利用者は、「変換前文字列」をキー入力したり、「入力する文字列の態様（平仮名入力、片仮名入力、アルファベット入力、数字入力、など）の変更」をキー入力したり、「入力した文字列の変換候補を表示する指示」をキー入力したりする。入力受付部（０２０５）が、利用者から変換前文字列のキー入力を受付けるインターフェイスとしては、例えば、メールの本文や題号を編集中や、アドレス帳を編集中や、撮影した写真の名称を編集中や、メモ帳にメッセージを記載中などが考えられる。なお、前記は一例であり、その他、携帯端末装置を利用して文字列が入力できるインターフェイスであればいかなるものでもよい。
【００３８】
入力受付部（０２０５）は、「待受け画面受付手段」を有するよう構成されていてもよい。「待受け画面受付手段」は、待受け画面から入力された変換前文字列をも受付けるよう構成されている。現在、一般的に普及している携帯端末装置は、待ち受け画面などのポータル画面から操作キーを押下すると、数字やアスタリスク記号、シャープ記号などが入力され、画面に表示される。すなわち、待受け画面受付手段は、変換前文字列を、数字やアスタリスク記号、シャープ記号などにより受付けるよう構成されている。そして、数字などにより受付けた変換前文字列を平仮名文字列に置換するよう構成されている。平仮名文字に置換する手段としては、以下のような例が考えられる。例えば、平仮名文字を入力可能な画面で、平仮名文字「お」を入力するためには、利用者は、「１−あ」キーを５回押下することとなる。かかる操作を、数字を入力可能な画面で行うと、「１１１１１」が入力されることとなる。当該関係を利用して、待受け画面受付手段は、入力された数字などの変換前文字列を平仮名文字列に置換するよう構成されてもよい。例えば、「４４４４９９９９６６＊」なる変換前文字列の入力を受付けると、「てれび」と置換する。また、「６＊＊０００４４４」なる変換前文字列の入力を受付けると、「ぱんつ」と置換する。
【００３９】
そして、以下で説明する変換候補表示部（０２０６）は、待受け画面入力手段が置換した文字列に対応する変換候補を抽出し、変換候補表示領域に出力するよう構成されている。
【００４０】
なお、待受け画面受付手段は、最初に入力された数字に応じて、受付ける変換前文字列の態様（数字入力ｏｒ平仮名入力）を変更するよう構成されていてもよい。具体的には、数字の「０」が入力された場合は、そのまま数字での入力を受付け、数字、アスタリスク記号、シャープ記号などをディスプレイに表示する。一方、数字の「０」以外が入力された場合には、平仮名での入力を受付け、押下された操作キーに対応する平仮名をディスプレイに表示する。
【００４１】
「変換候補表示部」（０２０６）は、入力受付部（０２０５）にて入力受付したキーにより辞書部（０２０３）を検索し、検索された変換候補を検索結果として画面の変換候補表示領域に表示するよう構成されている。「入力受付したキー」とは、利用者が入力した変換前文字列である。変換候補表示部（０２０６）が変換候補を検索し、画面に表示する手段としては、例えば、利用者が入力した変換前文字列を識別し、辞書部（０２０３）に登録されている変換前文字列と入力された変換前文字列を比較する。そして、一致するものを検索し、一致した変換前文字列と対応づけて登録されている変換候補を取り出す。その後、取り出して変換候補を画面に表示する。
【００４２】
＜実施形態１のハードウェア構成＞
【００４３】
図３は、上記機能的構成をハードウェアとして実現した際の構成の一例を表す図である。図に示すように、本ＡＶ装置は、「番組表セル生成情報保持部」、「映像情報取込部」「表示部」などを構成する「ＣＰＵ」（０３０１）、「ＲＡＭ」（０３０２）、「不揮発性メモリ」（０３０３）、「ユーザＩ／Ｆ」（０３０４）、「ネットワークＩ／Ｆ」（０３０５）、「デジタルＴＶ・ラジオチューナ」（０３０６）、「ディスプレイ」（０３０７）、「ＨＤＤ」（０３０８）、「録音装置」（０３０９）、「デジタルカメラ」（０３１０）、「オーディオプレーヤー」（０３１１）、「デジタルブックプレーヤー」（０３１２）、「電話信号処理回路」（０３１３）、「ＷＥＢ通信部」（０３１４）、「メール通信部」（０３１５）、「ＩＰ通信部」（０３１６）、「ＧＰＳ通信部」（０３１７）、「赤外線通信部」（０３１８）、「Ｂｌｕｅｔｏｏｔｈ通信部」（０３１９）、「バス」（０３２０）などを備えている。なお、前記構成はあくまで一例であり、本実施形態を実現する上で、「ネットワークＩ／Ｆ」（０３０５）、「デジタルＴＶ・ラジオチューナ」（０３０６）、「録音装置」（０３０９）、「デジタルカメラ」（０３１０）、「オーディオプレーヤー」（０３１１）、「デジタルブックプレーヤー」（０３１２）、「電話信号処理回路」（０３１３）、「ＷＥＢ通信部」（０３１４）、「メール通信部」（０３１５）、「ＩＰ通信部」（０３１６）、「ＧＰＳ通信部」（０３１７）、「赤外線通信部」（０３１８）、「Ｂｌｕｅｔｏｏｔｈ通信部」（０３１９）などについては、すべてを備えることを必須とはしない。これは、以下の実施形態においても同様である。
【００４４】
以下に、図３のハードウェアで本実施形態を実現する手段の一例を説明する。
＜＜辞書部登録手段＞＞
【００４５】
ＲＡＭ（０３０２）に展開されたＥＰＧデータ取得プログラムに従い、ネットワークＩ／Ｆ（０３０５）またはデジタルＴＶ・ラジオチューナ（０３０６）を介してＥＰＧデータを取得すると、ＲＡＭ（０３０２）のデータ領域に保存する。すると、ＲＡＭ（０３０２）に展開された辞書登録プログラムに従い、ＲＡＭ（０３０２）のデータ領域に保存されているＥＰＧデータから文字列を抽出し、ＲＡＭ（０３０２）に保存する。具体的には、まず、一つの番組単位のかたまりを抽出する。そして、そのデータの中から各項目を認識し、そこに記載された文字列を抽出する。例えば「ｐｒｏｇｒａｍ−ｔｉｔｌｅ」の項目を認識し、そこに記載された文字列を抽出し、ＲＡＭ（０３０２）に保存する。すべての項目から文字列を抽出すると、その中から一つの文字列を変換前文字列として選択し、その他の文字列を変換候補とする、すべての組み合わせを生成し、不揮発性メモリ（０３０３）に格納された辞書データに登録する。次に、他の文字列を変換前文字列として選択し、その他の文字列を変換候補とする、あらゆる組み合わせを生成し、不揮発性メモリ（０３０３）の辞書データに登録する。その後、すべての文字列を変換前文字列とした組み合わせを生成した同様の処理を実行する。
【００４６】
すべての組み合わせを登録し終えると、ＲＡＭ（０３０２）のデータ領域に保存されているＥＰＧデータから他の番組単位のかたまりを取り出し、同様の処理を実行する。
＜＜変換候補表示手段＞＞
【００４７】
利用者が変換前文字列を入力し、変換指示を入力すると、携帯端末装置はユーザＩ／Ｆ(０３０４)を介して当該信号を取得し、ＲＡＭ（０３０２）のデータ領域に保存する。すると、ＲＡＭ（０３０２）に展開された変換候補表示プログラムに従い、入力された変換前文字列を認識する。そして、不揮発性メモリ（０３０３）に格納された辞書データを利用して、変換前文字列と対応付けて保存されている変換候補を取り出し、ＲＡＭ（０３０２）のデータ領域に保存する。その後、ＲＡＭ（０３０２）に保存した変換候補を、ＲＡＭ（０３０２）に展開された変換候補表示プログラムに従い、ディスプレイ（０３０２）に出力する。
＜実施形態１の処理の流れ＞
【００４８】
本実施形態の処理の流れの一例を図４Ａ、図４Ｂのフローチャートに示す。
＜＜辞書データ登録処理＞＞
【００４９】
まず、ＥＰＧデータをデジタルＴＶ・ラジオチューナなどを介して取得すると（Ｓ０４Ａ０１）、その中から一つの番組単位のＥＰＧデータを取り出す（Ｓ０４Ａ０２）。そして、取り出したＥＰＧデータの中から、複数の文字列を抽出する（Ｓ０４Ａ０３）。
【００５０】
その後、抽出した複数の文字列を使用して、あらゆる「変換前文字列」と「変換後文字列（変換候補）」の組み合わせを生成し（Ｓ０４Ａ０４）、辞書データに登録する（Ｓ０４Ａ０５）。
【００５１】
その後、取得したＥＰＧデータに含まれるすべての番組単位について前記処理を行ったか判断する（Ｓ０４Ａ０６）。すべての番組単位について処理を完了した場合には、処理を終了する。一方、すべての番組単位について処理を完了していない場合には、前記処理を繰り返す。
＜＜変換候補表示処理＞＞
【００５２】
まず、文字変換ソフトを起動する（Ｓ０４Ｂ０１）。
【００５３】
次に、利用者が入力した変換前文字列の入力を受付けると（Ｓ０４Ｂ０２）、辞書データを検索し（Ｓ０４Ｂ０３）、入力された変換前文字列と対応付けて登録されている変換候補を取り出す（Ｓ０４Ｂ０４）。
【００５４】
そして、取り出した変換候補を、ディスプレイに出力する（Ｓ０４Ｂ０５）。
＜実施形態１の効果＞
【００５５】
本実施形態の携帯端末装置は、取得したＥＰＧデータの中に含まれる複数の文字列を、番組単位で変換前文字列または変換候補として組み合わせ、すべての組み合わせを辞書データに登録することができる。これにより、例えば、利用者がある番組の番組情報を確認したい時に、待ち受け画面などから「番組名」を変換前文字列として入力すると、変換候補として、その番組の放送日時や出演者、番組概要、ＣＨ、ジャンル、関連リンクなどが表示され、容易に番組情報を確認することができる。
【００５６】
その結果、ＥＰＧ閲覧アプリを起動し、画面に表示された多数のＥＰＧ情報の中から希望する情報を検索して確認するという面倒な操作を行う必要がなくなる。
＜＜実施形態２＞＞
＜実施形態２の概要＞
【００５７】
本実施形態の携帯端末装置は、実施形態１を基本とし、さらに、図５に示すように、ＥＰＧデータ（０５０１）から取得した文字列（例：「明日から」）を変換候補として登録する際、その変換候補の項目属性（例：「番組名」）を関連付けて辞書データ（０５０２）に登録する。そして、入力された変換前文字列に対応する変換候補を検索する際、項目属性値により絞り込み検索して表示できることを特徴とする。
＜実施形態２の機能的構成＞
【００５８】
図６に本実施形態における放送受信装置の機能ブロック図の一例を示す。本実施形態における「携帯端末装置置」（０６００）は、「ＥＰＧデータ取得部」（０６０１）と、「抽出部」（０６０２）と、「辞書部」（０６０３）と、「登録部」（０６０４）と、「入力受付部」（０６０５）と、「変換候補表示部」（０６０６）を有する。また、「登録部」（０６０４）は「項目属性登録手段」を、入力受付部（０６０５）は「項目属性値入力手段」を、「変換候補表示部」（０６０６）は「項目属性付変換候補表示手段」を有する。
【００５９】
「携帯端末装置置」（０６００）と、「ＥＰＧデータ取得部」（０６０１）と、「抽出部」（０６０２）と、「辞書部」（０６０３）については、実施形態１と同様であるのでここでの詳細な説明は省略する。以下、「登録部」（０６０４）の「項目属性登録手段」と、入力受付部（０６０５）の「項目属性値入力手段」と、「変換候補表示部」（０６０６）の「項目属性付変換候補表示手段」の機能について説明する。
【００６０】
登録部（０６０４）の「項目属性登録手段」は、ＥＰＧデータから抽出した文字列を変換候補として登録する際、ＥＰＧデータ中で示されている「登録文字列」に対応する「項目」をその文字列の属性値として、変換候補と関連付けて辞書部（０６０３）に登録するよう構成されている。「ＥＰＧデータから抽出した文字列」とは、実施形態１で説明したものと同様であるので、ここでの詳細な説明は省略する。具体的には、図７に示すようなＥＰＧデータから抽出する文字列としては、「明日から」、「２００７．１１．７」、「１９：００〜１９：５４」、「日本太郎」などが該当する。「項目」とは、ＥＰＧデータ内の番組情報をカテゴライズするものであり、例えば、「番組名」、「放送日」、「放送時間」、「ＣＨ」、「番組概要」、「出演者」、「関連リンク」、「ジャンル」などが該当する。「登録文字列に対応する項目」とは、抽出し変換候補として登録する文字列が記載されている項目のことである。例えば、変換候補として「２００７．１１．７」を登録する場合、対応する項目は「放送日」となる。属性登録手段は、辞書部（０６０３）に変換候補として登録する文字列がいずれの項目から取得した文字列であるか識別し、その項目を変換候補と関連付けて登録するよう構成されている。
【００６１】
入力受付部（０６０５）の「項目属性値入力手段」は、項目属性値の入力をも受付けるよう構成されている。項目属性値の入力を受付ける手段としては、例えば、図５に示すように、変換前文字列（０５０３）を入力した後に、所定の記号（０５０４）（例：アスタリスクなど）を入力し、その後に項目属性値（０５０５）を入力することで、受付ける手段などが考えられる。かかる場合、「項目属性値入力手段」は、文字列が入力されるとその中に所定の記号が含まれるか判別する。所定の記号が含まれない場合は、入力された文字列全てを変換前文字列として認識する。一方、所定の記号が含まれていた場合、記号の前側に入力された文字列を変換前文字列として認識し、記号の後側に入力された文字列を項目属性値として認識する。また、入力を受付ける項目属性値の文字列（入力値）としては、その項目（例：放送日）の正式名称の読み（例：ほうそうび）に限定されず、その略称（例：ほうそう、ひづけ、ひ、ひにち）などでもよい。かかる場合、携帯端末装置は図８に示すような項目名短縮データを不揮発性メモリなどに予め保有しておき、入力受付部（０６０５）は、項目名短縮データを利用可能に構成しておく。そして、受付けた入力値と項目名短縮データを照合し、入力された項目属性値を識別するよう構成されていてもよい。なお、項目名短縮データは、利用者が編集可能に構成されていてもよい。
【００６２】
変換候補表示部（０６０６）の「項目属性付変換候補表示手段」は、項目属性値入力手段にて受付けた項目属性値と関連付けられている変換候補を検索し、ディスプレイの変換候補表示領域に表示するよう構成されている。すなわち、項目属性付変換候補表示手段は、入力された変換前文字列と対応付けて登録されている変換候補を検索すると、さらに、その中から、受付けた項目属性値と一致する変換候補のみを検索する。そして、検索した変換候補のみをディスプレイに表示する。なお、検索する順番は特段制限されず、例えば、項目属性値が一致する変換候補を検索した後、入力された変換前文字列と対応付けて登録されている変換候補を検索してもよい。
＜実施形態２のハードウェア構成＞
【００６３】
以下に、図９のハードウェアで本実施形態を実現する手段の一例を説明する。
【００６４】
利用者が文字列を入力し、変換指示を入力すると、携帯端末装置はユーザＩ／Ｆ(０９０４)を介して当該信号を取得し、ＲＡＭ（０９０２）のデータ領域に保存する。すると、ＲＡＭ（０９０２）に展開された項目属性値識別プログラムに従い、入力文字列の中に項目属性値を入力するための記号（項目属性値入力記号）が含まれていないか判断する。
【００６５】
項目属性値入力記号が含まれていない場合、入力文字列を変換前文字列として認識する。一方、項目属性値入力記号が含まれている場合、項目属性値入力記号の前側の文字列を変換前文字列として認識し、後側の文字列を項目属性値として認識する。
【００６６】
その後、ＲＡＭ（０９０２）に展開された変換候補表示プログラムに従い、変換前文字列と対応付けて辞書データに登録されている変換候補を検索し、検索した変換候補をＲＡＭ（０９０２）のデータ領域に保存する。そして、ＲＡＭ（０９０２）に保存されえている変換候補に関連付けられている項目属性値を、入力された項目属性値と照合し、一致する変換候補を検索する。
【００６７】
そして、検索した変換候補をディスプレイ（０９０７）に出力する。
＜実施形態２の処理の流れ＞
【００６８】
本実施形態の処理の流れの一例を図１０のフローチャートに示す。
【００６９】
まず、文字変換ソフトを起動する（Ｓ１００１）。
【００７０】
次に、文字列の入力を受付けると（Ｓ１００２）、受付けた文字列の中に、項目属性値入力記号が含まれていないか判断する（Ｓ１００３）。
【００７１】
項目属性値入力記号が含まれている場合（Ｓ１００４）、項目属性値入力記号の前側の文字列を変換前文字列として認識し、項目属性値入力記号の後側の文字列を項目属性値として認識する（Ｓ１００５）。
【００７２】
そして、辞書データを検索し（Ｓ１００６）、入力された変換前文字列と対応付けて登録されている変換候補を取り出す（Ｓ１００７）。その後、検索した変換候補の中から、関連付けられている項目属性値が、入力された項目属性値と一致するもののみを検索する（Ｓ１００８）。そして、検索した変換候補をディスプレイに出力する（Ｓ１００９）。
【００７３】
一方、項目属性値入力記号が含まれていない場合（Ｓ１００４）、入力文字列を変換前文字列として認識する（Ｓ１０１０）。そして、辞書データを検索し（Ｓ１０１１）、入力された変換前文字列と対応付けて登録されている変換候補を取り出す（Ｓ１０１２）。そして、検索した変換候補をディスプレイに出力する（Ｓ１０１３）。
＜実施形態２の効果＞
【００７４】
本実施形態の携帯端末装置は、登録する変換候補に項目属性値を関連付けて登録する。そして、項目属性値を利用した、絞り込み検索を行うことができる。
【００７５】
これにより、ディスプレイに多数の変換候補が表示され、その中から希望する変換候補を見つけだすという面倒な操作を回避できる。
＜＜実施形態３＞＞
＜実施形態３の概要＞
【００７６】
本実施形態の携帯端末装置は、実施形態１、２を基本とし、さらに、図１２に示すように、取得したＥＰＧデータを利用して辞書データ（１２０１）に変換候補を登録する際、「番組の視聴」、「番組の録画予約」、「番組のホームページの閲覧」などを実行するプロセスをも番組単位で変換候補として登録する（１２０２）。そして、変換候補として表示された前記プロセス（１２０３）を選択入力されると、選択されたプロセスを実行する（１２０４）ことを特徴する。
＜実施形態３の機能的構成＞
【００７７】
図１１に本実施形態における放送受信装置の機能ブロック図の一例を示す。本実施形態における「携帯端末装置置」（１１００）は、「ＥＰＧデータ取得部」（１１０１）と、「抽出部」（１１０２）と、「辞書部」（１１０３）と、「登録部」（１１０４）と、「入力受付部」（１１０５）と、「変換候補表示部」（１１０６）と、「選択受付部」（１１０７）と、「命令生成部」（１１０８）と、「プロセス実行部」（１１０９）を有する。また、「登録部」（１１０４）は「命令登録手段」を有する。なお、「変換候補表示部」（１１０６）は、「複数態様表示手段」を有してもよい。
【００７８】
「携帯端末装置」（１１００）と、「ＥＰＧデータ取得部」（１１０１）と、「抽出部」（１１０２）と、「辞書部」（１１０３）については、実施形態１などと同様であるのでここでの詳細な説明は省略する。以下、「登録部」（１１０４）の「命令登録手段」と、選択受付部（１１０７）と、「命令生成部」（１１０８）と、「プロセス実行部」（１１０９）「変換候補表示部」（１１０６）の「複数態様表示手段」の機能について説明する。
【００７９】
「登録部」（１１０４）の「命令登録手段」は、命令識別情報をも番組単位で変換候補として辞書部（１１０３）に登録するよう構成されている。ここでの「命令」とは、後で説明するプロセス実行部（１１０９）に対し、ある番組に関するプロセスを実行するよう命じるものである。「ある番組に関するプロセス」とは、例えば、「その番組を視聴する機能を実行するプロセス」、「その番組の録画予約を行う機能を実行するプロセス」、「その番組ホームページを閲覧する機能を実行するプロセス」などが考えられる。すなわち、「命令識別情報」とは、実行するプロセスを識別するＩＤと、そのプロセスを実行する番組のＩＤなどからなる。
【００８０】
ここで、「命令登録手段」が、登録する命令識別情報を生成する手段としては、以下のような例が考えられる。まず、番組ＩＤを取得する手段としては、取得したＥＰＧデータに番組単位でＩＤが付されている場合は、そのＩＤを番組ＩＤとして取得することができる。または、ＥＰＧデータを利用して番組単位で文字列を抽出して辞書部（１１０３）に登録する際、ＥＰＧデータに対して番組単位でＩＤを付してもよい。そして、そのＩＤを番組ＩＤとして取得してもよい。そして、命令登録手段は、取得した番組ＩＤに対して、すべての実行プロセスＩＤを組み合わせ、命令識別情報を生成してもよい。その後、生成した命令識別情報に対し、同じ番組単位から抽出した文字列を変換前文字列として対応付け、辞書部（１１０３）に登録する。
【００８１】
辞書部（１１０３）に変換候補として登録された命令識別情報は、対応付けた変換前文字列が入力された際には、変換候補表示部（１１０６）にて検索され、ディスプレイの変換候補表示領域に表示されることとなる。この際、表示する文字列は、命令識別情報を利用者が識別できるものであればいかなるものでもよい。例えば、実行するプロセスの略称と、番組名の組み合わせ（例：「ＴＶ視聴：明日から」、「録画予約：明日から」、「Ｈ．Ｐ．：明日から」など.）でもよい。または、実行するプロセスを識別可能な図形と番組名の組み合わせでもよい。これらの表示を実現する手段としては、例えば、図１３に示すように、登録部（１１０３）は、変換候補として命令識別情報を登録する場合、ディスプレイでの表示態様をも関連付けて登録しておく（１３０１）。そして、変換候補表示部（１１０６）は、変換候補として命令識別情報を検索した場合には、関連付けられている表示態様をディスプレイに表示するよう構成されていてもよい。
【００８２】
なお、変換候補表示部（１１０６）は、「複数態様表示手段」を有するよう構成されてもよい。「複数態様表示手段」は、変換候補が単なる変換後文字列であるか、命令識別情報であるかに応じて検索結果の表示態様を異ならせるよう構成されている。その結果、利用者は変換後文字列と、命令識別情報を容易に識別することができる。表示態様を異ならせる手段としては、例えば、変換後文字列は黒色で表示し、命令識別情報は赤色や青色などで表示してもよい。または、変換候補表示領域を区分し、例えば、左半分には「変換後文字列」を表示し、右半分には「命令識別情報」を表示してもよい。さらには、文字の太さを異ならせたり、片方の文字列のみ網掛けをしたりしてもよい。
【００８３】
「選択受付部」（１１０７）は、変換候補表示部（１１０６）にて表示された変換候補から一の選択を受付けるよう構成されている。選択を受付ける手段としては、タッチパネル方式を利用してもよいし、ディスプレイ上に表示されたカーソルを利用し、決定ボタンを押下することで選択できてもよい。
【００８４】
「命令生成部」（１１０８）は、受付けた選択に応じてプロセスを実行するための命令を生成するよう構成されている。具体的には、変換候補である命令識別情報が選択された場合、命令生成部（１１０８）は、その命令識別情報のプロセスＩＤと番組ＩＤを識別する。そして、その番組に関してそのプロセスを実行するための命令を生成する。一方、命令識別情報以外の変換候補が選択された場合には、命令生成部（１１０８）は、その変換候補をディスプレイの所定位置に出力するための命令を生成する。
【００８５】
「プロセス実行部」（１１０９）は、命令生成部（１１０８）で生成された命令に従ってプロセスを実行するよう構成されている。具体的には、命令に応じて、起動する機能と番組を識別する。そして、その番組に関する詳細情報（例：「放送日」、「放送時間」、「ＣＨ」、「ＵＲＬ」など）をＥＰＧデータなどから取得する。そして、起動する機能（例：ＴＶ録画予約）に必要とする情報（例：放送日、放送時間、ＣＨなど）を取り出す。その後、それを引数として所定の機能を起動する。なお、ＴＶ視聴機能が選択された際に放送時間と異なっていた場合は、「エラー：放送時間外」などをディスプレイに表示して利用者に通知するよう構成されていてもよい。または、放送時間より前に選択された場合には、その番組放送の視聴予約ができるよう構成されていてもよい。
＜実施形態３のハードウェア構成＞
【００８６】
以下に、図１４のハードウェアで本実施形態を実現する手段の一例を説明する。
【００８７】
利用者が文字列を入力し、変換指示を入力すると、携帯端末装置はユーザＩ／Ｆ(１４０４)を介して当該信号を取得し、ＲＡＭ（１４０２）のデータ領域に保存する。すると、ＲＡＭ（１４０２）に展開された変換候補表示プログラムに従い、変換前文字列に対応付けて辞書データに登録されている変換候補を検索し、ＲＡＭ（１４０２）のデータ領域に保存する。そして、ディスプレイ（１４０７）での表示態様データが関連付けられている変換候補（命令識別情報）は、表示態様データをディスプレイ（１４０７）に出力する。一方、関連付けられていない変換候補（変換後文字列）は、その文字列をディスプレイ（１４０７）に出力する。
【００８８】
その後、ディスプレイ（１４０７）に出力された複数の変換候補の中から一の選択入力をユーザＩ／Ｆ（１４０４）を介して受付けると、取得した信号をＲＡＭ（１４０２）のデータ領域に保存する。そして、ＲＡＭ（１４０２）に展開された選択実行プログラムに従い、選択された変換候補を識別する。
【００８９】
選択された変換候補が命令識別情報だった場合、ＲＡＭ（１４０２）に保存されている命令識別情報の中から番組ＩＤを取得する。そして、ＲＡＭ（１４０２）に保存されているＥＰＧデータを利用してその番組の詳細情報のみを取り出す。その後、命令識別情報の中からプロセスＩＤを取得し、前記番組の詳細情報を引数として、所定の機能を起動する。具体的には、ＷＥＢ閲覧プログラムに従い、ネットワークＩ／Ｆ（１４０５）を介してＷＥＢ情報を取得したり、ＴＶ・ラジオ視聴プログラムに従いデジタルＴＶ・ラジオチューナ（１４０６）を介して放送波を受信したり、録画予約プログラムに従い、予約を実行したりする。
【００９０】
一方、選択された変換候補が命令識別情報以外だった場合、ＲＡＭ（１４０２）に展開された文字列出力プログラムに従い、選択された変換候補をディスプレイ（１４０７）の所定位置に出力する。
＜実施形態３の処理の流れ＞
【００９１】
本実施形態の処理の流れの一例を図１５のフローチャートに示す。
【００９２】
まず、文字変換ソフトを起動する（Ｓ１５０１）。
【００９３】
次に、変換前文字列の入力を受付けると（Ｓ１５０２）、辞書データから、入力された変換前文字列と対応付けて登録されている変換候補を検索する（Ｓ１５０３）。
【００９４】
検索した変換候補が命令識別情報だった場合（Ｓ１５０４）、関連付けられた表示態様データを取り出してディスプレイに出力する。一方、検索した変換候補が変換後文字列だった場合（Ｓ１５０４）、検索した変換後文字列をディスプレイに出力する。
【００９５】
その後、ディスプレイに出力した複数の変換候補の中から一の選択入力を受付ける（Ｓ１５０７）。
【００９６】
選択が命令識別情報だった場合（Ｓ１５０８）、命令識別情報に含まれる番組ＩＤを利用して、ＥＰＧデータなどから詳細番組情報を取得する（Ｓ１５０９）。また、命令識別情報に含まれるプロセスＩＤを利用して、実行するプロセスを識別する（Ｓ１５１０）。そして、取得した詳細番組情報を引数として、プロセスを実行する（Ｓ１５１１）。
【００９７】
一方、選択が命令識別情報以外だった場合（Ｓ１５０８）、変換候補文字列をディスプレイの所定位置（変換前文字列を入力した位置）に出力する（Ｓ１５１２）。
＜実施形態３の効果＞
【００９８】
本実施形態の携帯端末装置は、番組単位で、所定のプロセスを実行する命令識別情報を生成し、変換候補として辞書データに登録する。そして、命令識別情報が選択された場合、その命令識別情報で特定されるプロセスをその番組に対して実行する。
【００９９】
これにより、利用者は、本実施形態を利用して番組情報を確認した場合、そのインターフェイスから番組の視聴や録画予約などを即座に行うことが可能となる。
＜＜実施形態４＞＞
＜実施形態４の概要＞
【０１００】
本実施形態の携帯端末装置は、実施形態１から３を基本とし、さらに、図１６に示すように、変換候補として命令識別情報を辞書データ（１６０１）に登録する際、その命令識別情報を選択された際に実行するプロセスの名称または略称を命令属性値として関連付けて登録する（１６０２）。そして、それを利用して変換候補を絞り込み検索して表示できることを特徴とする。
＜実施形態４の機能的構成＞
【０１０１】
図１７に本実施形態における放送受信装置の機能ブロック図の一例を示す。本実施形態における「携帯端末装置置」（１７００）は、「ＥＰＧデータ取得部」（１７０１）と、「抽出部」（１７０２）と、「辞書部」（１７０３）と、「登録部」（１７０４）と、「入力受付部」（１７０５）と、「変換候補表示部」（１７０６）を有する。また、「登録部」（１７０４）は「命令属性登録手段」を、「入力受付部」（１７０５）は「命令属性値入力手段」を、「変換候補表示部」（１７０６）は「命令属性付変換候補表示手段」を有する。なお、「入力受付部」（１７０５）の「命令属性値入力手段」は、「トグル表示器」を有してもよい。
【０１０２】
「携帯端末装置置」（１７００）と、「ＥＰＧデータ取得部」（１７０１）と、「抽出部」（１７０２）と、「辞書部」（１７０３）については、実施形態１などと同様であるのでここでの詳細な説明は省略する。以下、「登録部」（１７０４）の「命令属性登録手段」と、「入力受付部」（１７０５）の「命令属性値入力手段」と「トグル表示器」と、「変換候補表示部」（１７０６）の「命令属性付変換候補表示手段」の機能について説明する。
【０１０３】
登録部（１７０４）の「命令属性登録手段」は、命令識別情報に従って実行するプロセスを特定する名称または略称を、命令属性値として変換候補である命令識別情報と関連付けて辞書部（１７０３）に登録するよう構成されている。「命令識別情報に従って実行するプロセス」とは、「番組を視聴する機能を実行するプロセス」、「番組の録画予約を行う機能を実行するプロセス」、「番組ホームページを閲覧する機能を実行するプロセス」などである。「これらを特定する名称または略称」としては、利用者が識別できるものであれば特段制限されない。例えば、「番組を視聴する機能を実行するプロセス」の場合は、「てれびしちょう」、「しちょう」、「Ｔしちょう」、「みる」などでもよい。また、「番組の録画予約を行う機能を実行するプロセス」の場合は、「ろくがよやく」、「よやく」、「ろく」、「ｒｅｃ」などでもよい、また、「番組ホームページを閲覧する機能を実行するプロセス」の場合は、「ホームページ」、「ウェブ」、「Ｗｅｂ」などでもよい。命令属性登録手段が、命令属性値を関連付けて登録する手段としては、例えば、携帯端末装置は予め不揮発性メモリなどに、実行するプロセスのＩＤと複数の命令属性値を関連付けて保存しておき、命令属性登録手段はそれらを利用可能に構成しておく。そして、登録部（１７０４）が命令属性手段により、番組ＩＤとプロセスＩＤを組み合わせて命令識別情報を生成し辞書部（１７０３）に登録する際に、命令属性登録手段により、そのプロセスＩＤと関連付けられている命令属性値を取得し、それらも関連付けて辞書部（１７０３）に登録することで実現できる。なお、プロセスＩＤと関連付けて保存されている命令属性値は、利用者が自由に編集できるよう構成されていてもよい。
【０１０４】
入力受付部（１７０５）の「命令属性値入力手段」は、命令属性値の入力をも受付けるよう構成されている。命令属性値を受付ける手段としては、例えば、図１６に示すように、変換前文字列（１６０３）を入力した後に、所定の記号（１６０５）（例：バツなど）を入力し、その後に命令属性値（１６０４）を入力することで、受付ける手段などが考えられる。かかる場合、「命令属性値入力手段」は、文字列が入力されるとその中に所定の記号（例：バツ）が含まれるか判別する。所定の記号が含まれない場合は、入力された文字列全てを変換前文字列として認識する。一方、所定の記号（例：バツ）が含まれていた場合、記号の前側に入力された文字列を変換前文字列として認識し、記号の後側に入力された文字列を命令属性値として認識する。
【０１０５】
また、命令属性値入力手段は、「トグル表示器」を有するよう構成されてもよい。「トグル表示器」は、命令属性値を容易に入力するために、複数の命令属性値をトグル表示するよう構成されている。トグル表示する手段としては、例えば、命令属性値を入力するための所定の記号（例：バツなど）を入力すると、その後ろに命令属性値の一が自動的に表示されてもよい。そして、十字キーなどでトグル変換できてもよい。
【０１０６】
変換候補表示部（１７０６）の「命令属性付変換候補表示手段」は、命令属性値入力手段で受付けた命令属性値と関連付けられている変換候補を検索して表示するよう構成されている。すなわち、命令属性付変換候補表示手段は、入力された変換前文字列と対応付けて登録されている変換候補を検索すると、さらに、その中から、受付けた命令属性値と一致する変換候補のみを検索する。そして、検索した変換候補のみをディスプレイに表示する。なお、検索する順番は特段制限されず、例えば、命令属性値が一致する変換候補を検索した後、入力された変換前文字列と対応付けて登録されている変換候補を検索してもよい。
＜実施形態４のハードウェア構成＞
【０１０７】
以下に、図１８のハードウェアで本実施形態を実現する手段の一例を説明する。
【０１０８】
利用者が文字列を入力し、変換指示を入力すると、携帯端末装置はユーザＩ／Ｆ（１８０４)を介して当該信号を取得し、ＲＡＭ（１８０２）のデータ領域に保存する。すると、ＲＡＭ（１８０２）に展開された命令属性値識別プログラムに従い、入力文字列の中に命令属性値を入力するための記号（命令属性値入力記号）が含まれていないか判断する。
【０１０９】
命令属性値入力記号が含まれていない場合、入力文字列を変換前文字列として認識する。一方、命令属性値入力記号が含まれている場合、命令属性値入力記号の前側の文字列を変換前文字列として認識し、後側の文字列を命令属性値として認識する。
【０１１０】
その後、ＲＡＭ（１８０２）に展開された変換候補表示プログラムに従い、変換前文字列と対応付けて辞書データに登録されている変換候補を検索し、ＲＡＭ（１８０２）のデータ領域に保存する。そして、ＲＡＭ（１８０２）に保存されている変換候補の中から入力された命令属性値と一致する命令属性値を関連付けられている変換候補のみを検索する。
【０１１１】
そして、検索した変換候補をディスプレイ（１８０７）に出力する。
＜実施形態４の処理の流れ＞
【０１１２】
本実施形態の処理の流れの一例を図１９のフローチャートに示す。
【０１１３】
まず、文字変換ソフトを起動する（Ｓ１９０１）。
【０１１４】
次に、文字列の入力を受付けると（Ｓ１９０２）、受付けた文字列の中に、命令属性値入力記号が含まれていないか判断する（Ｓ１９０３）。
【０１１５】
命令属性値入力記号が含まれている場合（Ｓ１９０４）、命令属性値入力記号の前側の文字列を変換前文字列として認識し、命令属性値入力記号の後側の文字列を命令属性値として認識する（Ｓ１９０５）。
【０１１６】
そして、辞書データを検索し（Ｓ１９０６）、入力された変換前文字列と対応付けて登録されている変換候補を取り出す（Ｓ１９０７）。その後、検索した変換候補の中から、関連付けられている命令属性値が、入力された命令属性値と一致するもののみを検索する（Ｓ１９０８）。そして、検索した変換候補をディスプレイに出力する（Ｓ１９０９）。
【０１１７】
一方、命令属性値入力記号が含まれていない場合（Ｓ１９０４）、入力文字列を変換前文字列として認識する（Ｓ１９１０）。そして、辞書データを検索し（Ｓ１９１１）、入力された変換前文字列と対応付けて登録されている変換候補を取り出す（Ｓ１９１２）。そして、検索した変換候補をディスプレイに出力する（Ｓ１９１３）。
＜実施形態４の効果＞
【０１１８】
本実施形態の携帯端末装置は、変換候補として登録する命令識別情報に命令属性値を関連付けて登録する。そして、命令属性値を利用した、絞り込み検索を行うことができる。
【０１１９】
これにより、ディスプレイに多数の変換候補が表示され、その中から希望する変換候補を見つけだすという面倒な操作を回避できる。
＜＜実施形態５＞＞
＜実施形態５の概要＞
【０１２０】
本実施形態の携帯端末装置は、実施形態１から４を基本とし、さらに、辞書データに登録した文字列や命令識別情報などの変換候補を、時間経過に応じて自動的に非表示にしたり、辞書データから削除したりすることができる。
＜実施形態５の機能的構成＞
【０１２１】
図２０に本実施形態における放送受信装置の機能ブロック図の一例を示す。本実施形態における「携帯端末装置置」（２０００）は、「ＥＰＧデータ取得部」（２００１）と、「抽出部」（２００２）と、「辞書部」（２００３）と、「登録部」（２００４）と、「入力受付部」（２００５）と、「変換候補表示部」（２００６）と、「実行可能性判断部」（２０１０）を有する。また、「変換候補表示部」（２００６）は「非表示手段」を有する。なお、「登録部」（２００４）は「削除手段」を有してもよい。
【０１２２】
「携帯端末装置置」（２０００）と、「ＥＰＧデータ取得部」（２００１）と、「抽出部」（２００２）と、「辞書部」（２００３）と、「入力受付部」（２００５）については、実施形態１などと同様であるのでここでの詳細な説明は省略する。以下、「実行可能性判断部」（２０１０）と、「変換候補表示部」（２００６）の「非表示手段」と、「登録部」（２００４）の「削除手段」の機能について説明する。
【０１２３】
「実行可能性判断部」（２０１０）は、変換候補が命令識別情報である場合にその命令が実行可能か判断するよう構成されている。実行可能性判断部（２０１０）が実行可能か判断するタイミング、対象としては、例えば、変換候補表示部（２００６）がディスプレイに表示するために変換候補を検索した場合、その後、検索した変換候補を表示する前に、検索した変換候補に含まれる命令識別情報のみを実行可能か判断してもよい。または、毎日０時の日付の変わり目や、毎日０時、１時、２時・・・など時間の変わり目などに、辞書部（２００３）に登録しているすべての命令識別情報を実行可能か判断してもよい。さらには、常時、辞書部（２００３）に登録しているすべての命令識別情報を実行可能か判断してもよいし、利用者が入力した判断指示命令をトリガに辞書部（２００３）に登録しているすべての命令識別情報を実行可能か判断してもよい。そして、辞書部（２００３）の命令識別情報を判断する場合は、実行不可能と判断した命令識別情報には、当該旨を示す情報（不可能情報）を書き込むよう構成していてもよい。
【０１２４】
実行可能か判断する手段としては、例えば、以下のような例が考えられる。実行可能性判断部（２０１０）は、命令識別情報の番組ＩＤを利用可能に構成しておく。そして、番組ＩＤを利用してＥＰＧデータよりその番組の詳細情報を取得し、その中から、放送日と放送終了時間を示すデータを取得する。そして、それを自己の体内時計などから取得した現在日時と大小比較する。大小比較の結果、現在日時の方が大きい場合、その命令識別情報は実行可能と判断する。一方、現在日時の方が小さい場合、その命令識別情報は実行不可能と判断する。実行可能性判断部（２０１０）が、このような手段により判断した結果に応じて、以下で説明する、変換候補表示部（２００６）の「非表示手段」や、登録部（２００４）の「削除手段」が機能する。
【０１２５】
変換候補表示部（２００６）の「非表示手段」は、実行可能性判断部（２０１０）での判断結果が実行不可能である命令に関してはその命令識別情報を変換候補としてディスプレイに表示しないよう構成されている。非表示手段が、実行可能性判断部（２０１０）から判断結果を取得し非表示機能を実行する手段としては、例えば、以下のような例が考えられる。変換候補表示部（２００６）は入力された変換前文字列に対応する変換候補を検索した後、直ちに、実行可能性判断部（２０１０）で検索した変換候補が実行可能か判断してもらう。そして、その判断結果を即座に取得し、その結果に応じて各変換候補を表示したり、非表示にしたりする。または、実行可能性判断部（２０１０）が、常時、または、間欠的に辞書部（２００３）のすべての命令識別情報を実行可能か判断し、実行不可能な命令識別情報にはその旨を示す情報（不可能情報）を書き込んでいる場合、非表示表示手段は、不可能情報を識別可能に構成しておく。そして、入力された変換前文字列に対応する変換候補を検索した後、不可能情報が書き込まれていない変換候補のみを検索し、ディスプレイに表示する。
【０１２６】
登録部（２００４）の「削除手段」は、実行可能性判断部（２０１０）での判断結果が実行不可能である命令に対応する番組に関しては、番組単位で変換候補を辞書部（２００３）から削除するよう構成されている。削除手段が機能を実行するタイミングとしては、特段制限されない。例えば、日付の変わり目に実行してもよいし、時間の変わり目に実行してもよいし、利用者が入力した削除指示信号をトリガに実行してもよいし、実行可能性判断部（２０１０）が判断結果を出したのをトリガに実行してもよい。「削除手段」の当該機能を実現する手段としては、例えば、以下のような例が考えられる。登録部（２００４）は、図２１に示すように、ＥＰＧデータを利用して番組単位で文字列や命令識別情報を変換候補として登録する際、同じ番組単位から取得して登録された変換候補には、同じ番組ＩＤを関連付けて登録する（２１０１）よう構成しておく。また、削除手段は、実行可能性判断部（２０１０）が書き込んだ不可能情報（２１０２）を識別可能に構成しておく。そして、削除手段は、不可能情報を書き込まれている変換候補を識別すると、その変換候補に関連付けられている番組ＩＤを取得する。その後、その番組ＩＤを関連付けられている変換候補をすべて辞書部（２００３）から削除する。
【０１２７】
＜実施形態５のハードウェア構成＞
【０１２８】
以下に、図２２のハードウェアで本実施形態を実現する手段の一例を説明する。
【０１２９】
利用者が変換前文字列を入力し、変換指示を入力すると、携帯端末装置はユーザＩ／Ｆ（２２０４)を介して当該信号を取得し、ＲＡＭ（２２０２）のデータ領域に保存する。すると、ＲＡＭ（２２０２）に展開された変換候補表示プログラムに従い、変換前文字列と対応付けて辞書データに登録されている変換候補を検索し、ＲＡＭ（２２０２）のデータ領域に保存する。その後、ＲＡＭ（２２０２）に展開された非表示プログラムに従い、検索した変換候補の中に、命令識別情報が含まれるか判断する。命令識別情報が含まれる場合、ＲＡＭ（２２０２）に展開された実行可能性判断プログラムに従い、当該命令が実行可能か判断する。具体的には、まず、命令識別情報から番組ＩＤを取得し、その番組ＩＤに関する詳細番組情報をＲＡＭ（２２０２）に保存されているＥＰＧデータから取得する。そして、その中から、「ｄａｔｅ」、「ｅｎｄ」などの項目に記載されている放送日、放送終了時間を取り出し、保存する。また、自己の体内時計などから現在の日時情報を取得する。そして、それらを演算処理により大小比較する。現在の日時情報の方が大きい場合、その命令は実行可能と判断する。一方、現在の日時情報の方が小さい場合、その命令は実行不可能と判断する。
【０１３０】
その後、ＲＡＭ（２２０２）に展開された非表示プログラムに従い、前記判断結果に応じて、実行不可能な命令識別情報は、ディスプレイ（２２００）に表示する変換候補から消去する。そして、変換候補表示プログラムに従い、変換候補をディスプレイ（２２００）に出力する。
＜実施形態５の処理の流れ＞
【０１３１】
本実施形態の処理の流れの一例を図２３のフローチャートに示す。
【０１３２】
まず、文字変換ソフトを起動する（Ｓ２３０１）。
【０１３３】
次に、変換前文字列の入力を受付けると（Ｓ２３０２）、辞書データを利用して、入力された変換前文字列と対応付けて登録されている変換候補を検索する（Ｓ２３０３）。
【０１３４】
そして、検索した変換候補の中に命令識別情報が含まれている場合（Ｓ２３０４）、その命令識別情報が実行可能か判断する（Ｓ２３０５）。判断結果が実行可能である場合（Ｓ２３０６）、その命令識別情報を検索した変換候補として保持する（Ｓ２３０７）。一方、判断結果が実行不可能である場合（Ｓ２３０６）、その命令識別情報を検索した変換候補の中から消去する（Ｓ２３０８）。
【０１３５】
当該判断をすべての命令識別情報に対して行った後（Ｓ２３０９）、検索した変換候補をディスプレイに出力する（Ｓ２３１０）。
【０１３６】
一方、検索した変換候補に命令識別情報が含まれない場合は（Ｓ２３０４）、検索した変換候補をディスプレイに出力する（Ｓ２３１１）。
＜実施形態５の効果＞
【０１３７】
本実施形態の携帯端末装置は、ＥＰＧデータを利用して辞書データに登録した多数の文字列や命令識別情報などの変換候補を、時間経過に応じて自動的に非表示にしたり、辞書データから削除したりすることができる。
【０１３８】
これにより、辞書データに保存されるデータが増加し続けるという問題を解消できる。また、不要な情報がディスプレイに表示され、利用者に混乱を生じさせるという不都合を解消できる。
＜＜実施形態６＞＞
＜実施形態６の概要＞
【０１３９】
本実施形態の携帯端末装置は、実施形態１から５を基本とし、さらに、ＥＰＧデータを利用して辞書データに登録された変換候補を、関連付けて登録されている項目属性値（例：「放送日」、「放送時間」、「ＣＨ」など）に応じて、表示したり、非表示にしたりすることができる。
＜実施形態６の機能的構成＞
【０１４０】
図２４に本実施形態における放送受信装置の機能ブロック図の一例を示す。本実施形態における「携帯端末装置置」（２４００）は、「ＥＰＧデータ取得部」（２４０１）と、「抽出部」（２４０２）と、「辞書部」（２４０３）と、「登録部」（２４０４）と、「入力受付部」（２４０５）と、「変換候補表示部」（２４０６）を有する。また、「変換候補表示部」（２４０６）は「表示・非表示選択手段」を有する。
【０１４１】
「携帯端末装置置」（２４００）と、「ＥＰＧデータ取得部」（２４０１）と、「抽出部」（２４０２）と、「辞書部」（２４０３）と、「入力受付部」（２４０５）については、実施形態１などと同様であるのでここでの詳細な説明は省略する。以下、「変換候補表示部」（２４０６）の「表示・非表示選択手段」の機能について説明する。
【０１４２】
変換候補表示部（２４０６）の「表示・非表示選択手段」は、変換候補に関連付けられている項目属性値に応じて表示・非表示を選択させるよう構成されている。項目属性値については、実施形態２で説明したので、ここでの詳細な説明は省略する。表示・非表示選択手段は、それぞれの項目属性値を関連付けて登録されているそれぞれの変換候補を、ディスプレイの変換候補表示領域に表示するか否かを利用者に選択させるよう構成されている。利用者の選択入力を受付ける手段としては、例えば、図２５に示すように、メニュー画面から各項目を表示するか否かの選択を入力できるよう構成されていてもよい。
【０１４３】
なお、表示・非表示選択手段が受付けた選択は、表示選択情報として不揮発性メモリなどに保存され、変換候補表示部（２４０６）は、その情報を利用可能に構成しておく。そして、変換候補表示部（２４０６）は、入力された変換前文字列に対応する変換候補を辞書データから検索した後、表示選択情報を利用して、表示しないよう選択された項目属性値を関連付けられている変換候補を取り出す。そして、取り出した変換候補を、検索した変換候補の中から消去する。その後、残った変換候補のみをディスプレイに表示する。
【０１４４】
＜実施形態６のハードウェア構成＞
【０１４５】
以下に、図２６のハードウェアで本実施形態を実現する手段の一例を説明する。
【０１４６】
利用者が変換前文字列を入力し、変換指示を入力すると、携帯端末装置はユーザＩ／Ｆ（２６０４)を介して当該信号を取得し、ＲＡＭ（２６０２）のデータ領域に保存する。すると、ＲＡＭ（２６０２）に展開された変換候補表示プログラムに従い、変換前文字列と対応付けて辞書データに登録されている変換候補を検索し、ＲＡＭ（２６０２）のデータ領域に保存する。そして、ＲＡＭ（２６０２）に展開された表示・非表示決定プログラムに従い、表示選択情報を利用して、非表示を選択された項目属性値を取得する。その後、検索した変換候補の項目属性値と、表示選択情報から取り出した項目属性値を比較し、一致する変換候補を消去する。そして、ＲＡＭ（２６０２）に展開された変換候補表示プログラムに従い、変換候補をディスプレイ（２６００）に出力する。
＜実施形態６の処理の流れ＞
【０１４７】
本実施形態の処理の流れの一例を図２７のフローチャートに示す。
【０１４８】
まず、文字変換ソフトを起動する（Ｓ２７０１）。
【０１４９】
次に、変換前文字列の入力を受付けると（Ｓ２７０２）、辞書データを利用して、入力された変換前文字列と対応付けて登録されている変換候補を検索する（Ｓ２７０３）。
【０１５０】
その後、各項目を表示するか否かを示す表示選択情報を取得し（Ｓ２７０４）、非表示にする項目属性値を認識する（Ｓ２７０５）。そして、認識した項目属性値と、検索した選択候補に関連付けられている項目属性値を照合し（Ｓ２７０６）、一致する変換候補を、検索した変換候補の中から消去する（Ｓ２７０７）。
【０１５１】
そして、残った変換候補を、ディスプレイに出力する（Ｓ２７０８）。
＜実施形態６の効果＞
【０１５２】
本実施形態の携帯端末装置は、ＥＰＧデータを利用して辞書データに登録した変換候補を、項目属性値に応じて表示したり、非表示にしたりすることができる。そして、前記決定は利用者が選択入力することができる。
【０１５３】
これにより、利用者が希望する項目の変換候補のみをディスプレイに表示することが可能となり、ディスプレイに多数の変換候補が表示され、その中から希望する変換候補を見つけだすという面倒な操作を回避できる。
【図面の簡単な説明】
【０１５４】
【図１】実施形態１の効果を示す概念図
【図２】実施形態１の機能ブロック図
【図３】実施形態１のハードウェア構成の一例を示した図
【図４Ａ】実施形態１の処理の流れを示すフローチャート１
【図４Ｂ】実施形態１の処理の流れを示すフローチャート２
【図５】実施形態２の効果を示す概念図
【図６】実施形態２の機能ブロック図
【図７】実施形態２のデータの一例１
【図８】実施形態２のデータの一例２
【図９】実施形態２のハードウェア構成の一例を示した図
【図１０】実施形態２の処理の流れを示すフローチャート
【図１１】実施形態３の機能ブロック図
【図１２】実施形態３の効果を示す概念図
【図１３】実施形態３のデータの一例
【図１４】実施形態３のハードウェア構成の一例を示した図
【図１５】実施形態３の処理の流れを示すフローチャート
【図１６】実施形態４の効果を示す概念図
【図１７】実施形態４の機能ブロック図
【図１８】実施形態４のハードウェア構成の一例を示した図
【図１９】実施形態４の処理の流れを示すフローチャート
【図２０】実施形態５の機能ブロック図
【図２１】実施形態５のデータの一例
【図２２】実施形態５のハードウェア構成の一例を示した図
【図２３】実施形態５の処理の流れを示すフローチャート
【図２４】実施形態６の機能ブロック図
【図２５】実施形態６の効果を示す概念図
【図２６】実施形態６のハードウェア構成の一例を示した図
【図２７】実施形態６の処理の流れを示すフローチャート
【符号の説明】
【０１５５】
０１０１    ＥＰＧデータ
０１０２    辞書データ
０１０３    変換前文字列
０１０４    変換候補表示領域
【図１】
2009135711.tif 000003
【図２】
2009135711.tif 000004
【図３】
2009135711.tif 000005
【図４Ａ】
2009135711.tif 000006
【図４Ｂ】
2009135711.tif 000007
【図５】
2009135711.tif 000008
【図６】
2009135711.tif 000009
【図７】
2009135711.tif 000010
【図８】
2009135711.tif 000011
【図９】
2009135711.tif 000012
【図１０】
2009135711.tif 000013
【図１１】
2009135711.tif 000014
【図１２】
2009135711.tif 000015
【図１３】
2009135711.tif 000016
【図１４】
2009135711.tif 000017
【図１５】
2009135711.tif 000018
【図１６】
2009135711.tif 000019
【図１７】
2009135711.tif 000020
【図１８】
2009135711.tif 000021
【図１９】
2009135711.tif 000022
【図２０】
2009135711.tif 000023
【図２１】
2009135711.tif 000024
【図２２】
2009135711.tif 000025
【図２３】
2009135711.tif 000026
【図２４】
2009135711.tif 000027
【図２５】
2009135711.tif 000028
【図２６】
2009135711.tif 000029
【図２７】
2009135711.tif 000030